(57)【特許請求の範囲】
【請求項１】
ルートディレクトリに属するＡＶファイル、及びこのＡＶファイルに属する管理情報ファイルにより構成された第１の規格に準拠した情報を、ルートディレクトリに属するビデオファイルとこのルートディレクトリに属するジャケットピクチャーファイルにより構成された第２の規格に準拠した情報へ変換して記録する情報記録方法であって、
第１のモード設定に基づき、前記第１の規格に準拠した情報を構成する前記管理情報ファイルに含まれるオリジナルのプログラムチェーン情報及びユーザ定義のプログラムチェーン情報により指定される代表映像情報を、前記第２の規格に準拠した情報を構成する前記ジャケットピクチャーファイルへ記録する、
ことを特徴とする情報記録方法。
【請求項２】
第２のモード設定に基づき、前記第１の規格に準拠した情報を構成する複数の映像を一覧表示し、この一覧表示の中から選択された代表映像情報を前記第２の規格に準拠した情報を構成する前記ジャケットピクチャーファイルへ記録することを特徴とする請求項１に記載の情報記録方法。
【請求項３】
ルートディレクトリに属するＡＶファイル、及びこのＡＶファイルに属する管理情報ファイルにより構成された第１の規格に準拠した情報を、ルートディレクトリに属するビデオファイルとこのルートディレクトリに属するジャケットピクチャーファイルにより構成された第２の規格に準拠した情報へ変換して記録する情報記録装置であって、
第１のモード設定に基づき、前記第１の規格に準拠した情報を構成する前記管理情報ファイルに含まれるオリジナルのプログラムチェーン情報及びユーザ定義のプログラムチェーン情報により指定される代表映像情報を、前記第２の規格に準拠した情報を構成する前記ジャケットピクチャーファイルへ記録する記録手段を備えたことを特徴とする情報記録装置。
【請求項４】
前記記録手段は、第２のモード設定に基づき、前記第１の規格に準拠した情報を構成する複数の映像を一覧表示し、この一覧表示の中から選択された代表映像情報を前記第２の規格に準拠した情報を構成する前記ジャケットピクチャーファイルへ記録することを特徴とする請求項３に記載の情報記録装置。
【発明の詳細な説明】
【０００１】
【発明の属する技術分野】
この発明は、ＤＶＤ（Digital Versatile Disk）などの情報記録媒体に情報を記録する情報記録方法及び情報記録装置に関する。
【０００２】
【従来の技術】
ＤＶＤ−ＲＴＲ（real time recording）規格による録画再生装置は、規格上、代表映像を、ディスク内のＶＭＧＩ＿ＭＡＴ、ＰＬ＿ＳＲＰ、ＰＧＩのそれぞれに記録することができ、ディスク内に記録された代表映像をインデックスとして閲覧表示させることもできる。
【０００３】
一方、ＤＶＤ−Ｖｉｄｅｏ規格には、ディスク製作者が任意に記録することが出来る、ジャケット・ピクチャがある。
【０００４】
上記したＤＶＤ−ＲＴＲ規格で定義される代表映像とＤＶＤ−Ｖｉｄｅｏ規格で定義されるジャケット・ピクチャは全く別の定義であり、関連性は全く無い。
【０００５】
【発明が解決しようとする課題】
昨今、ＤＶＤ−ＲＴＲ規格からＤＶＤ−Ｖｉｄｅｏ規格に映像データを変換し、ＤＶＤ−Ｒなどの記録媒体に記録することが出来る装置が発売されるようになった。この装置を利用すれば、例えば、ＤＶＤ−ＲＴＲ規格で記録された映像データを永久保存するために、ＤＶＤ−ＲＴＲ規格からＤＶＤ−Ｖｉｄｅｏ規格に映像データを変換し、ＤＶＤ−Ｒなどの記録媒体に記録することが出来る。或いは、ＤＶＤ−ＲＴＲ記録再生装置を持っていないが、ＤＶＤ−Ｖｉｄｅｏ再生装置を持つユーザに対して、ＤＶＤ−ＲＴＲ規格からＤＶＤ−Ｖｉｄｅｏ規格に映像データを変換し、ＤＶＤ−Ｒなどの記録媒体に記録して、配布することもできる。
【０００６】
しかしながら、ＤＶＤ−ＲＴＲ規格からＤＶＤ−Ｖｉｄｅｏ規格に映像データを変換し記録する際、ＤＶＤ−Ｖｉｄｅｏ規格には代表映像データという概念が無いため、ＤＶＤ−ＲＴＲ規格で定義された代表映像データが記録されないという問題があった。
【０００７】
この発明の目的は、上記したような事情に鑑み成されたものであって、ＤＶＤ−ＲＴＲ規格からＤＶＤ−Ｖｉｄｅｏ規格に映像データを変換し記録する際、ＤＶＤ−ＲＴＲ規格で定義された情報を確実に記録することが可能な情報記録方法及び情報記録装置を提供することにある。
【０００８】
【課題を解決するための手段】
上記課題を解決し目的を達成するために、この発明の情報記録方法及び情報記録装置は、以下のように構成されている。
【０００９】
（１）この発明の情報記録方法は、ＤＶＤ−ＲＴＲ規格に準拠した複数の映像情報の中の所定の映像情報をＤＶＤ−Ｖｉｄｅｏ規格のジャケット・ピクチャに適合させて記録する。
【００１０】
（２）この発明の情報記録装置は、ＤＶＤ−ＲＴＲ規格に準拠した複数の映像情報の中の所定の映像情報をＤＶＤ−Ｖｉｄｅｏ規格のジャケット・ピクチャに適合させて記録する記録手段を備えている。
【００１１】
【発明の実施の形態】
以下、図面を参照しながら本実施の形態について説明する。
【００１２】
図１は、この発明の一実施の形態に係るデジタル録画再生装置（ＤＶＤビデオレコーダ）の全体構成を説明するブロック図である。この装置は、記録可能な光ディスク（ＤＶＤ−ＲＡＭなど）１００又はハードディスクに対してＤＶＤ−ＲＴＲ規格に準拠したリアルタイムビデオレコーディングを行う。また、この装置は、ＤＶＤ−ＲＴＲ規格に準拠した映像データをＤＶＤ−Ｖｉｄｅｏ規格の映像データに変換し、記録可能な光ディスク（ＤＶＤ−Ｒなど）１００又はハードディスクに対して記録する。さらに、この装置は、再生専用光ディスク（ＤＶＤ−ＲＯＭディスク、録画済みのＤＶＤ−Ｒディスク）の再生機能も備えている。
【００１３】
図１の装置は、エンコーダ部６０１、デコーダ部６０２、メインＭＰＵ部６０４、Ｖ（ビデオ）ミキシング部６０５、フレームメモリ部６０６、キー入力部６０７、表示部６０８、ディスクドライブ部６０９、Ｄ−ＰＲＯ（データプロセッサ）部６１０、Ａ／Ｖ入力６１２、ＴＶチューナ部（ＢＳ／地上波アナログチューナ）６１３、オーディオ用デジタルＩ／Ｆ６３１、オーディオ用Ｄ／Ａ部６３２、スピーカ６３３（その駆動用オーディオアンプの図示は省略）、ビデオ用デジタルＩ／Ｆ６３４、ＴＶ用Ｄ／Ａ部６３６、外部モニタＴＶ６３７、ＳＴＣ（システムタイムカウンタ）部６５０、ＨＤＤ部（例えば２０ＧＢ〜１００ＧＢ程度のＨＤＤレコーダユニットおよび／または大容量のＩＣメモリ）７００、オーディオ信号のセレクタ部７５０等により構成されている。
【００１４】
Ｄ−ＰＲＯ部６１０は、ファーストイン・ファーストアウト形のＦＩＦＯ部（ＦＩＦＯバッファ）６１０ａを内蔵又は外付けしている。このＦＩＦＯ部６１０ａを構成するＦＩＦＯバッファは、記録側ＦＩＦＯおよび再生側ＦＩＦＯを含んでいる。これら記録側／再生側ＦＩＦＯの入出力制御およびその残量モニタは、メインＭＰＵ６０４内のプログラムＲＯＭに書き込まれたＦＩＦＯ制御部６０４５という制御プログラムにより行われる。
【００１５】
ディスクドライブ部６０９（またはＨＤＤ部７００）からの読込制御は、メインＭＰＵ６０４内のプログラムＲＯＭに書き込まれた読込ドライブ制御部６０４６という制御プログラムにより行なわれる。また、ディスクドライブ部６０９（またはＨＤＤ部７００）への書込制御はメインＭＰＵ６０４内のプログラムＲＯＭに書き込まれた書込ドライブ制御部６０４７という制御プログラムにより行われる。
【００１６】
メインＭＰＵ部６０４は、以上の制御プログラム（ファームウエア）その他の制御パラメータを含むＲＯＭ部と、各プログラム実行時に用いられるワークＲＡＭ部６０４ａを内蔵している。なお、ワークＲＡＭ部６０４ａは、図２の管理情報（ＲＴＲ＿ＶＭＧ）を一時記憶するＶＭＧ保持部（図示せず）というメモリエリアを含んでいる。
【００１７】
エンコーダ部６０１内は、Ａ／Ｄ部６１４、ビデオエンコード部６１６、デュアルモノヘッダ設定部６１７ａを含むオーディオエンコード部６１７、ＳＰ（副映像）エンコード部６１８、フォーマッタ部６１９、バッファメモリ部６２０より構成されている。また、デコーダ部６０２は、メモリ６２６を内蔵する分離部６２５、縮小画像（サムネイル）生成部６２８ａを内蔵するビデオデコード部６２８、ＳＰ（副映像）デコード部６２７、オーディオデコード部６３０、Ｖ−ＰＲＯ（ビデオプロセッサ）部６３８により構成されている。
【００１８】
録画（ＡＶ情報の記録）は、エンコーダ部６０１を介して、ＤＶＤ−ＲＡＭ、ＤＶＤ−Ｒ、ＤＶＤ−ＲＷなどのディスク１００を用いたディスクドライブ部６０９により行なわれる。このディスクドライブ部６０９は、ＤＶＤ−ＲＡＭ、ＤＶＤ−Ｒ、ＤＶＤ−ＲＷなどのディスクからの再生のみならず、ＤＶＤビデオまたはＤＶＤ−ＲＯＭなどのディスクからの再生も可能となっている。すなわち、ＤＶＤファミリのディスク再生は、ディスクドライブ部６０９およびＤ−ＰＲＯ部６１０を介してデコーダ部６０２を介して行われる。ＤＶＤビデオ再生時の機能は、一般市販されているＤＶＤビデオプレーヤと基本的に同一でよい。
【００１９】
図１の装置内における実際のビデオ信号の流れは、以下のようになる。まず、例えばＴＶチューナ部６１３から得られたＡＶ信号は、Ａ／Ｄ部６１４に入力されデジタル信号に変換される。次にこの変換されたデジタル信号はビデオエンコード部６１６に入力され、デジタルオーディオ信号はオーディオエンコード部６１７に入力される。なお、地上波アナログ放送の受信／録画においてＴＶチューナ部６１３から文字放送などの文字データが出力されるときは、ＳＰ（副映像）エンコード部６１８に入力される。地上波アナログ放送の受信／録画では、Ａ／Ｄ部６１４で一旦デジタル化されてから、ビデオ（主映像）エンコード部６１６において、入力されたビデオ信号はＭＰＥＧ圧縮される。また、オーディオ（音声）エンコード部６１７において、入力されたオーディオ信号は、例えばＭＰＥＧオーディオ圧縮される。さらに、ＳＰエンコード部６１８において、入力された文字データはランレングス圧縮される。
【００２０】
各エンコーダ部６１６〜６１８では、パック化された場合に例えば２０４８バイトとなるようにデータのパケット化がなされ、パケット化された信号（ビデオデータ、オーディオデータおよび副映像データ）が、フォーマッタ部６１９へ入力される。フォーマッタ部６１９は、バッファメモリ部６２０を適宜用いて、入力されたパケットデータのパック化および多重化を行い、多重化された信号（ビデオパック、オーディオパックおよび副映像パック）をＤ−ＰＲＯ部６１０に送る。
【００２１】
このフォーマッタ部６１９は、各エンコーダ部６１６〜６１８から供給されるエンコードデータに基づき、ＤＶＤ−ＲＴＲ規格に準拠したデータ（映像情報）を出力することができる。さらに、このフォーマッタ部６１９は、各エンコーダ部６１６〜６１８から供給されるエンコードデータに基づき、ＤＶＤ−Ｖｉｄｅｏ規格に準拠したデータ（映像情報）を出力することもできる。即ち、ディスクドライブ部６０９によりディスク１００に記録されたＤＶＤ−ＲＴＲ規格に準拠した映像情報を読出し、この映像情報をフォーマッタ６１９を介してＤＶＤ−Ｖｉｄｅｏ規格に準拠した映像情報に変換し、ディスクドライブ部６０９によりＤＶＤ−Ｖｉｄｅｏ規格に準拠した映像情報を別のディスク１００に記録することができる。ＤＶＤ−ＲＴＲ規格からＤＶＤ−Ｖｉｄｅｏ規格への変換に関する各種制御は、メインＭＰＵ部６０４によりなされる。
【００２２】
Ｄ−ＰＲＯ部６１０は、現行ＤＶＤビデオでは１６パック／１６セクタ（次世代ＤＶＤビデオでは３２パック／３２セクタあるいはそれ以上）毎にＥＣＣブロックを形成し、それにエラー訂正データを付ける。こうして得られたデータストリームが、ディスクドライブ部６０９により光ディスク（ＤＶＤ−ＲＡＭ、ＤＶＤ−ＲＷ、またはＤＶＤ−Ｒ）１００、あるいはＨＤＤ部７００に記録される。ここで、ディスクドライブ部６０９がシーク中あるいはトラックジャンプなどの場合のためビジー状態である場合には、記録データを一時記憶部としてのＨＤＤ部７００（および／または図示しない半導体メモリ）に一時的に格納し、ディスクドライブ部６０９の記録準備ができるまで待てるように構成できる。
【００２３】
さらに、フォーマッタ部６１９では、録画中に（ＧＯＰ先頭割り込みなどにより）各切り分け情報を作成し、作成した切り分け情報を定期的にＭＰＵ部６０４へ送る。この切り分け情報としては、データアクセス単位であるＶＯＢＵ（ビデオオブジェクトユニット）のパック数、ＶＯＢＵ先頭からのＩピクチャのエンドアドレス、ＶＯＢＵの再生時間などがある。各ＶＯＢＵは前記ビデオパック、オーディオパックおよび／または副映像パックを含むことができる。ディスクドライブ部６０９は、このＶＯＢＵを単位にしてディスク１００の記録情報にアクセスできるようになっている。なお、ＤＶＤ−ＲＴＲでは、ビデオファイルは１ディスクに１ファイルとなっている。
【００２４】
図２は、ＤＶＤ−ＲＴＲ規格のデータ構造の概略を示す図である。
【００２５】
ここでは、図２（ａ）のＤＶＤ−ＲＡＭディスク１００の情報記録領域に図２（ｂ）のようなボリュームスペースの情報が記録される場合を例にとって説明する（ＨＤＤ部７００への記録情報のデータ構造も同様でよい）。
【００２６】
ディスク１００のボリュームスペースは、図２（ｂ）に示すように、ボリュームおよびファイル管理情報の記録領域と、ユーザデータ（ＡＶ情報等）を記録するデータエリアを含んでいる。このデータエリアは、図２（Ｃ）に示すように、管理情報ＲＴＲ＿ＶＭＧおよびユーザデータのコンテンツ（ＡＶ情報を構成するビデオオブジェクトＶＯＢ等）を記録できるようになっている。
【００２７】
コンテンツの再生情報は、ＶＲ＿ＭＡＮＧＥＲ．ＩＦＯというファイルに定義されている。ＶＲ＿ＭＡＮＧＥＲ．ＩＦＯは、管理情報ＲＴＲ＿ＶＭＧとして記録されている。
【００２８】
管理情報ＲＴＲ＿ＶＭＧは、図２（ｄ）に示すように、ＲＴＲビデオマネージャ情報ＲＴＲ＿ＶＭＧＩと、ムービーＡＶファイル情報テーブルＭ＿ＡＶＦＩＴと、スチルピクチャＡＶファイル情報テーブルＳ＿ＡＶＦＩＴと、オリジナルのプログラムチェーン情報ＯＲＧ＿ＰＧＣＩと、ユーザ定義のプログラムチェーン情報テーブルＵＤ＿ＰＧＣＩＴと、テキストデータマネージャＴＸＴＤＴ＿ＭＧと、製造業者情報ＭＮＦＩＴを含んでいる。
【００２９】
ＲＴＲビデオマネージャ情報ＲＴＲ＿ＶＭＧＩには、ＲＴＲディスクの基本的な情報が定義される。ムービーＡＶファイル情報テーブルＭ＿ＡＶＦＩＴには、映像ファイルであるＶＲ＿ＭＯＶＩＥ．ＶＲＯの情報が定義される。スチルピクチャＡＶファイル情報テーブルＳ＿ＡＶＦＩＴには、静止画ファイルであるＶＲ＿ＳＴＩＬＬ．ＶＲＯの関する情報が定義される。オリジナルのプログラムチェーン情報ＯＲＧ＿ＰＧＣＩには、オリジナルＰＧＣの関する情報が定義される。ユーザ定義のプログラムチェーン情報テーブルＵＤ＿ＰＧＣＩＴには、ユーザが定義した１つ以上のプログラムチェーンＰＧＣの情報が定義される。テキストデータマネージャＴＸＴＤＴ＿ＭＧには、記録された映像に関するテキストデータが定義されている。これらの情報のうち、ＲＴＲビデオマネージャ情報ＲＴＲ＿ＶＭＧＩと、オリジナルのプログラムチェーン情報ＯＲＧ＿ＰＧＣＩ及びユーザ定義のプログラムチェーン情報ＵＤ＿ＰＧＣＩＴで定義される各々のプログラムチェーンＰＧＣ内に含まれるプログラム情報には、代表映像情報( Representative Picture Information ) が含まれる。
【００３０】
なお、プログラムチェーン情報ＰＧＣＩはプログラムチェーンＰＧＣの再生全体を表すデータ構造であり、ＰＧＣは一連のプログラムＰＧ（プログラムセット）を示す。ＰＧは記録内容の論理単位であり、ＰＧはユーザにより認識されあるいは定義される。プログラムセット内のＰＧは１以上のオリジナルセル（最初の録画内容の再生単位）で構成され、ＰＧはＯＲＧ＿ＰＧＣＩ内でのみ定義される。換言すれば、ＯＲＧ＿ＰＧＣＩは最初の録画内容のセル再生順序を記述した情報であるとも言える。また、ＵＤ＿ＰＧＣＩＴは、録画後にユーザが編集した１以上のＰＧＣＩを記述したテーブルである。
【００３１】
一方、ＤＶＤ−Ｖｉｄｅｏ規格には、一枚のディスク内に１個の静止画を付加することを定義したジャケット・ピクチャがある。主な目的は、多数のディスクから特定のディスクを選択する場合に、グラフィカルなユーザ・インターフェースを提供することである。たとえば、マルチ・ディスク・プレーヤはスクリーンに多数のジャケット・ピクチャを配置することにより“ディスク・メニュー”を創作することが出来る。
【００３２】
ＤＶＤ−Ｖｉｄｅｏ規格には、上記した代表映像情報を記録するという概念はない。しかし、ＤＶＤ−Ｖｉｄｅｏ規格のジャケット・ピクチャ規格と組み合わせることにより、代表映像情報を持つことができる。
【００３３】
図３に示すように、フォーマッタ部６１９が、ＤＶＤ−ＲＴＲ規格の映像情報をＤＶＤ−Ｖｉｄｅｏ規格に変換する場合、ＤＶＤ−ＲＴＲ規格でユーザーが定義した代表映像(Representive Picture)、またはユーザが定義した受信映像、またはディスク上の任意の映像をジャケット・ピクチャに変換することができる。
【００３４】
ここで、図４及び図５を参照して、ＤＶＤ−ＲＴＲ規格のディレクトリ構造及びＤＶＤ−Ｖｉｄｅｏ規格のディレクトリ構造について簡単に説明する。図４はＤＶＤ−ＲＴＲ規格のディレクトリ構造を部分的に示す図であり、図５はＤＶＤ−Ｖｉｄｅｏ規格のディレクトリ構造を部分的に示す図である。
【００３５】
図４に示すように、ＤＶＤ−ＲＴＲ規格のディレクトリ構造は、ＤＶＤ＿ＲＴＡＶにＶＲ＿ＭＡＮＧＲ．ＩＮＦがぶら下る構造となっている。ＶＲ＿ＭＡＮＧＲ．ＩＮＦは、ディスクの代表映像及びディスクの中の各プログラムの代表映像などを格納している。
【００３６】
図５に示すように、ＤＶＤ−Ｖｉｄｅｏ規格のディレクトリ構造は、ＶＩＤＥＯ＿ＴＳにＶＩＤＥＯ＿ＴＳ．ＩＮＦがぶら下る構造となっており、ＪＡＣＥＴ＿ＰにＪ００＿５Ｌ．ＭＰ２、Ｊ００＿５Ｍ．ＭＰ２、Ｊ００＿５Ｓ．ＭＰ２がぶら下る構造となっている。Ｊ００＿５Ｌ．ＭＰ２、Ｊ００＿５Ｍ．ＭＰ２、Ｊ００＿５Ｓ．ＭＰ２は同一のジャケット・ピクチャを格納し、Ｊ００＿５Ｌ．ＭＰ２はＬサイズのジャケット・ピクチャを格納し、Ｊ００＿５Ｍ．ＭＰ２はＭサイズのジャケット・ピクチャを格納し、Ｊ００＿５Ｓ．ＭＰ２はＳサイズのジャケット・ピクチャを格納する。
【００３７】
図６は、ジャケット・ピクチャの３つのサイズに関する情報を示す図である。図６に示すように、Ｊ００＿５Ｌ．ＭＰ２には、７２０×４８０サイズのジャケット・ピクチャが格納される。Ｊ００＿５Ｍ．ＭＰ２には、１７６×１１２サイズのジャケット・ピクチャが格納される。Ｊ００＿５Ｓ．ＭＰ２には、９６×６４サイズのジャケット・ピクチャが格納される。
【００３８】
なお、ここでは、ＮＴＳＣ方式（５２５／６０ TV system）に対応したジャケット・ピクチャを格納するケースについてのみ説明したが、ＰＡＬ方式（６２５／５０ TV system）に対応したジャケット・ピクチャを格納することもできる。この場合、ＰＡＬ方式（６２５／５０ TV system）に対応したジャケット・ピクチャも、ＮＴＳＣ方式に対応したジャケット・ピクチャ同様、３つのサイズで格納される。
【００３９】
ＤＶＤ−ＲＴＲ規格で記録されたディスクを再生するためには、ＵＤＦ規格で記録されたファイルシステムを読みこみ、ＤＶＤ−ＲＴＲ規格で定義されているファイルＶＲ＿ＭＡＮＧＥＲ．ＩＦＯおよび映像データであるＶＲ＿ＭＯＶＩＥ．ＶＲＯとＶＲ＿ＳＴＩＬＬ．ＶＲＯの記録位置を検索する。
【００４０】
次にＶＲ＿ＭＡＮＧＥＲ．ＩＦＯのデータを読み取り、映像及び音声を再生するための準備を行う。次にユーザによって指定されたタイトル番号として、ＯＲＧ＿ＰＧＣＩまたはＵＤ＿ＰＧＣＩＴの中の指定されるＵＤ＿ＰＧＣＩを検索する。このとき、ユーザによって指定された代表映像が定義されていれば、このデータに対応した映像を検索する。
【００４１】
その後、再生すべきＶＲＯファイルの再生位置を検索して、映像データをＭＰＥＧ２デコーダ（デコーダ部６０２）に流し込む。
【００４２】
ＭＰＥＧ２デコーダ（デコーダ部６０２）は、映像および音声のデコードを行う。デコードされたデータは映像、音声となって、装置外部に接続されたディスプレイに表示される。
【００４３】
デコードされたデータは、デコーダ内部の表示用のバッファに蓄えられているので、このデータを録画用エンコーダ（フォーマッタ部６１９）にてＭＰＥＧ２規格のＩ−ｐｉｃｔｕｒｅとしてエンコードする。
【００４４】
作成されたＩ−ｐｉｃｔｕｒｅは、’ＪＡＣＫＥＴ＿Ｐ’のディレクトリにジャケット・ピクチャ規格で定義されたファイル名で記録される。上記したように作成されたジャケット・ピクチャおよびＤＶＤ−Ｖｉｄｅｏ規格に準じたデータをＤＶＤ−Ｒなどの記録媒体に書き込む。これにより、既存のジャケット・ピクチャ再生機能搭載のＤＶＤビデオプレーヤで再生することができる。
【００４５】
つまり、ＤＶＤ−ＲＴＲ規格で定義された代表映像をＤＶＤ−Ｖｉｄｅｏ規格のジャケット・ピクチャとして記録媒体に記録することで、ＤＶＤ−ＲＴＲ規格で定義された代表映像を失うことなく、ＤＶＤ−ＲＴＲ規格で定義された映像データをＤＶＤ−Ｖｉｄｅｏ規格で定義された映像データに変換することができる。
【００４６】
なお、この発明は、ＤＶＤ−ＲＴＲ規格で定義された映像情報をＤＶＤ−Ｖｉｄｅｏ規格のジャケット・ピクチャとして記録媒体へ記録する場合だけに限定されるものではない。例えば、ＰＣ上のデータについてＪＰＧ viewerを利用して、ＤＶＤ−Ｖｉｄｅｏ規格のジャケット・ピクチャとして記録媒体へ記録するケースにも適用できる。また、地上波や衛星波によるテレビ放送に含まれる映像情報をＤＶＤ−Ｖｉｄｅｏ規格のジャケット・ピクチャとして記録媒体へ記録するケースにも適用できる。
【００４７】
次に、図７を参照して、ジャケット・ピクチャの生成処理についてまとめる。ジャケット・ピクチャの生成には、大別して、自動作成モードとユーザ選択作成モードとがある。これらモードは、予め図１に示す録画再生装置で設定されるものとする。
【００４８】
自動作成モードが設定されている場合には（ＳＴ１）、さらに大別してディスクの代表映像をジャケット・ピクチャとして記録する場合と、ディスクの中の所定のプログラムの代表映像をジャケット・ピクチャとして記録する場合とがある。両者も、録画再生装置に予め設定されるものとする。
【００４９】
ディスクの代表映像をジャケット・ピクチャとして記録する場合には（ＳＴ２）、ディスクの代表映像がジャケット・ピクチャとして記録される（ＳＴ３）。ディスクの中の所定のプログラムの代表映像をジャケット・ピクチャとして記録する場合には（ＳＴ２、ＮＯ）、ディスクの中の所定のプログラムの代表映像がジャケット・ピクチャとして記録される（ＳＴ４）。所定のプログラムとは、録画再生装置が任意に決定するプログラムであってもよいし、ユーザがクリップした複数のプログラムの中の、一番最初にクリップしたプログラムであってもよい。
【００５０】
一方、ユーザ選択作成モードが設定されている場合には（ＳＴ１、ＮＯ）、ＤＶＤ−ＲＴＲ規格で定義された複数の映像が選択画面上に一覧表示される（ＳＴ５）。ユーザがこの選択画面から所望の映像を選択すると（ＳＴ６）、選択された映像がジャケット・ピクチャとして記録される（ＳＴ７）。
【００５１】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【００５２】
【発明の効果】
この発明によれば、ＤＶＤ−ＲＴＲ規格からＤＶＤ−Ｖｉｄｅｏ規格に映像データを変換し記録する際、ＤＶＤ−ＲＴＲ規格で定義された情報を確実に記録することが可能な情報記録方法及び情報記録装置を提供できる。
【図面の簡単な説明】
【図１】この発明の一実施の形態に係るデジタル録画再生装置（ＤＶＤビデオレコーダ）の全体構成を説明するブロック図である。
【図２】ＤＶＤ−ＲＴＲ規格のデータ構造の概略を示す図である。
【図３】ＤＶＤ−ＲＴＲ規格からＤＶＤ−Ｖｉｄｅｏ規格への変換に伴い、ＤＶＤ−ＲＴＲ規格に準拠した任意の映像（例えば代表映像）が、ＤＶＤ−Ｖｉｄｅｏ規格に準拠したジャケット・ピクチャとして記録される概念を示す図である。
【図４】ＤＶＤ−ＲＴＲ規格のディレクトリ構造を部分的に示す図である。
【図５】ＤＶＤ−Ｖｉｄｅｏ規格のディレクトリ構造を部分的に示す図である。
【図６】ジャケット・ピクチャの３つのサイズに関する情報を示す図である。
【図７】ジャケット・ピクチャの生成処理を示すフローチャートである。
【符号の説明】
１００…光ディスク
６０１…エンコーダ部
６０２…デコーダ部
６０４…メインＭＰＵ部
６０４ａ…ワークＲＡＭ部
６０４５…ＦＩＦＯ制御部
６０４６…読込ドライブ制御部
６０４７…書込ドライブ制御部
６０９…ディスクドライブ部
６１０…Ｄ−ＰＲＯ部
６１０ａ…ＦＩＦＯ部
７００…ＨＤＤ部
【図１】
0003725101.tif 000002
【図２】
0003725101.tif 000003
【図３】
0003725101.tif 000004
【図４】
0003725101.tif 000005
【図５】
0003725101.tif 000006
【図６】
0003725101.tif 000007
【図７】
0003725101.tif 000008